(57)【要約】【課題】空調機などからの排水を雨水と一緒に効率良く処理することができ、建物の外観も体裁良く納まり、既に竪樋が施工された後であっても、同竪樋の一部分を切断除去してこの部分に容易に取り付けることができる竪樋継手を提供する。【解決手段】下位の竪樋Ａ１の上端開口部内に挿入嵌合される下側接続筒部１と、この下側接続筒部１の上端に連設されて上位の竪樋Ａ２の下端開口部が挿入嵌合される上側接続受筒部２とを有する竪樋継手において、上側接続受筒部２の下端付近の周壁３に流入口４を開設し、この流入口４から同上側接続受筒部２の周壁３外側に沿った筒状で上方に開口してドレンホースＢが挿入接続されるホース接続部５を形成し、前記上側接続受筒部２を同ホース接続部５よりも上方へ長く延設した。【選択図】図１
2008121325.tif 000002
【特許請求の範囲】
【請求項１】
下位の竪樋の上端開口部内に挿入嵌合される下側接続筒部と、この下側接続筒部の上端に連設されて上位の竪樋の下端開口部が挿入嵌合される上側接続受筒部とを有する竪樋継手であって、上側接続受筒部の下端付近の周壁に流入口を開設し、この流入口から同上側接続受筒部の周壁外側に沿った筒状で上方に開口してドレンホースが挿入接続されるホース接続部を形成し、前記上側接続受筒部を同ホース接続部よりも上方へ長く延設してなる竪樋継手。
【請求項２】
上側接続受筒部の周壁内面に流入口の上縁に沿って庇状に突出する凸片を形成したことを特徴とする請求項１記載の竪樋継手。
【請求項３】
ホース接続部の内周形状を下方に向かって細くなるようなテーパー状に形成したことを特徴とする請求項１又は２記載の竪樋継手。
【請求項４】
上側接続受筒部とホース接続部とが同上側接続受筒部の周壁によって仕切られるものであることを特徴とする請求項１〜３のいずれか一項記載の竪樋継手。
【発明の詳細な説明】
【技術分野】
【０００１】
本願発明は、竪樋が接続される下側接続筒部と上側接続受筒部とを有し、その途中に空調機などからのドレンホースが挿入接続されるホース接続部を形成した竪樋継手に関するものである。
【背景技術】
【０００２】
従来、一般に、空調機などのからのドレンホースは、雨水の排水経路とは別に単独で施工されており、例えば、空調設備の屋外機がベランダに設置される場合、同屋外機から導出されるドレンホースはベランダから垂れ下がった状態に設けられ、階下へと垂れ流し的に排水されることがあった。この場合、建物の外観面で支障を来たし、排水的にも問題を有するものであった。
【０００３】
そこで、空調機などからのドレンホースを接続できるようにした竪樋継手が提案されている（特許文献１）。この竪樋継手は、図４に示すように、下位の竪樋Ａ１の上端開口部内に挿入嵌合される下側接続筒部１と、この下側接続筒部１の上端に連設されて上位の竪樋Ａ２の下端開口部が挿入嵌合される上側接続受筒部２とを有し、この上側接続受筒部２の周壁部分に空調機などからのドレンホースＢが挿入接続されるホース接続部５を形成したものである。
【０００４】
この竪樋継手にあっては、上側接続受筒部２の周壁部分の一部を外方へ膨らむように屈曲突出させてホース接続部５を形成し、これに対向する反対側で同上側接続受筒部２内の下端付近にストッパ１０を突設している。この場合、上位の竪樋Ａ２の下端開口部を上側接続受筒部２に挿入嵌合して、この竪樋Ａ２の開口端をストッパ１０に当止させると、同竪樋Ａ２の下端開口部とホース接続部５とを連通する隙間開口１１が形成される。
【０００５】
したがって、この竪樋継手では、上下に両竪樋Ａ２、Ａ１が嵌合接続された状態において、ホース接続部５にドレンホースＢを挿入接続することができ、空調機などからの排水を同ドレンホースＢからホース接続部５、隙間開口１１を通して内部に導入し、雨水と一緒に効率良く処理することができる。これにより、建物の外観は体裁良く納まり、排水的な問題も解消される。
【特許文献１】特開２００１−４０８４０号公報
【発明の開示】
【発明が解決しようとする課題】
【０００６】
しかしながら、上記従来例にあっては、竪樋を施工する際に予め竪樋継手を取り付けておかなければならず、竪樋が施工された後の状態で、同竪樋の一部分を切断除去してこの部分に竪樋継手を取り付けることは困難であった。
【０００７】
すなわち、上側接続受筒部２の周壁部分の一部を外方へ膨らむように屈曲突出させてホース接続部５が形成されたものであるため、ホース接続部５に挿入接続されるドレンホースＢを確実に保持してその下側に隙間開口１１を形成するには、上位の竪樋Ａ２の下端開口部を上側接続受筒部２内にストッパ１０で当止される程度に深く挿入嵌合させる必要がある。
【０００８】
そのため、上位の竪樋Ａ２の下端開口部と下位の竪樋Ａ１の上端開口部とは相互に近接した位置関係にあることを要し、竪樋の一部分を切断除去するに際して、竪樋継手を取り付けるための間隔を大きく確保することができない。上位の竪樋Ａ２の下端開口部と下位の竪樋Ａ１の上端開口部との間隔が小さいと、同上位の竪樋Ａ２の下端開口部を上側接続受筒部２に挿入嵌合すると共に同下位の竪樋Ａ１の上端開口部内に下側接続筒部１を挿入嵌合する接続作業、すなわち、竪樋継手を上下動作させる嵌合作業は困難となる。
【０００９】
本願発明は、上記背景技術に鑑みてなされたもので、その課題は、空調機などからの排水を雨水と一緒に効率良く処理することができ、建物の外観も体裁良く納まり、既に竪樋が施工された後であっても、同竪樋の一部分を切断除去してこの部分に容易に取り付けることができる竪樋継手を提供することである。
【課題を解決するための手段】
【００１０】
上記課題を解決するために、本願請求項１記載の発明は、下位の竪樋の上端開口部内に挿入嵌合される下側接続筒部と、この下側接続筒部の上端に連設されて上位の竪樋の下端開口部が挿入嵌合される上側接続受筒部とを有する竪樋継手であって、上側接続受筒部の下端付近の周壁に流入口を開設し、この流入口から同上側接続受筒部の周壁外側に沿った筒状で上方に開口してドレンホースが挿入接続されるホース接続部を形成し、前記上側接続受筒部を同ホース接続部よりも上方へ長く延設してなる。
【００１１】
本願請求項２記載の発明は、請求項１記載の竪樋継手において、上側接続受筒部の周壁内面に流入口の上縁に沿って庇状に突出する凸片を形成したことを特徴とする。
【００１２】
本願請求項３記載の発明は、請求項１又は２記載の竪樋継手において、ホース接続部の内周形状を下方に向かって細くなるようなテーパー状に形成したことを特徴とする。
【００１３】
本願請求項４記載の発明は、請求項１〜３のいずれか一項記載の竪樋継手において、上側接続受筒部とホース接続部とが同上側接続受筒部の周壁によって仕切られるものであることを特徴とする。
【発明の効果】
【００１４】
本願請求項１記載の発明である竪樋継手においては、上側接続受筒部の下端付近の周壁に流入口を開設し、この流入口から同上側接続受筒部の周壁外側に沿った筒状で上方に開口してドレンホースが挿入接続されるホース接続部を形成しているので、ホース接続部にドレンホースを上方から上側接続受筒部の周壁外側に沿ってスムーズに挿入接続することができ、空調機などからの排水を同ドレンホースからホース接続部、流入口を通して上側接続受筒部の内部に導入し、ここから下側接続筒部、下位の竪樋へと流下させて雨水と一緒に効率良く処理することができ、建物の外観も煩雑とならず体裁良く納まる。
【００１５】
しかも、前記上側接続受筒部をホース接続部よりも上方へ長く延設しているので、上位の竪樋の下端開口部と下位の竪樋の上端開口部との間隔を大きく確保し、同上位の竪樋の下端開口部を側方へと位置をずらせて上側接続受筒部に挿入嵌合し、この状態で同上側接続受筒部と共に下側接続筒部を上方へと大きくスライド移動させた後、前記上位の竪樋の下端開口部を側方から元の位置に戻し、同下側接続筒部を下方へと小さくスライド移動させて下位の竪樋の上端開口部内に挿入嵌合することができる。
【００１６】
そのため、既に竪樋が施工された後であっても、同竪樋の一部分を切断除去してこの部分に竪樋継手を取り付けるに際し、上位の竪樋の下端開口部と下位の竪樋の上端開口部との間隔が大きくなるように切断除去して、同竪樋継手を取り付けるための間隔を大きく確保することができ、前記のように竪樋継手を所謂けんどん式に嵌合接続させて容易に取り付けることができる。
【００１７】
本願請求項２記載の発明である竪樋継手においては、特に、上側接続受筒部の周壁内面に流入口の上縁に沿って庇状に突出する凸片を形成しているので、上位の竪樋から流下する雨水は同庇状の凸片の上面に沿って流下案内され、上側接続受筒部の流入口からホース接続部へと流入し難くなり、雨水の同ホース接続部から外部への漏れ出しを防止することができる。
【００１８】
本願請求項３記載の発明である竪樋継手においては、特に、ホース接続部の内周形状を下方に向かって細くなるようなテーパー状に形成しているので、径の異なるドレンホースであっても、同ホース接続部内下方へと深く差し込むことによって強く締め付けられるように挟持され、確実に挿入接続することができる。
【００１９】
本願請求項４記載の発明である竪樋継手においては、特に、上側接続受筒部とホース接続部とが同上側接続受筒部の周壁によって仕切られるものであるため、同ホース接続部にドレンホースを上方から前記上側接続受筒部の周壁外面に沿い摺接させてよりスムーズに挿入接続することができ、また、上側接続受筒部とホース接続部とを仕切る壁が共用されてコンパクトに納まり材料も削減される。
【発明を実施するための最良の形態】
【００２０】
図１〜３は、本願請求項１〜４の全てに対応した一実施形態を示している。この実施形態の竪樋継手は、下位の竪樋Ａ１の上端開口部内に挿入嵌合される下側接続筒部１と、この下側接続筒部１の上端に連設されて上位の竪樋Ａ２の下端開口部が挿入嵌合される上側接続受筒部２とを有する。この実施形態の竪樋継手では、上側接続受筒部２の下端付近の周壁３に流入口４を開設し、この流入口４から同上側接続受筒部２の周壁３外側に沿った筒状で上方に開口してドレンホースＢが挿入接続されるホース接続部５を形成し、前記上側接続受筒部２を同ホース接続部５よりも上方へ長く延設している。
【００２１】
しかも、この実施形態の竪樋継手では、上側接続受筒部２の周壁３内面に流入口４の上縁に沿って庇状に突出する凸片６を形成しており、更に、ホース接続部５の内周形状を下方に向かって細くなるようなテーパー状に形成しており、また、上側接続受筒部２とホース接続部５とが同上側接続受筒部２の周壁３によって仕切られるものである。
【００２２】
以下、この実施形態の竪樋継手をより具体的詳細に説明する。この実施形態の竪樋継手は、全体が合成樹脂にて一体に射出成形されたものである。上側接続受筒部２及び下側接続筒部１はいずれも円筒形状で、同心にして上下に連設されている。上側接続受筒部２は下側接続筒部１よりも大径に形成されており、上位の竪樋Ａ２と下位の竪樋Ａ１とは同径で、上側接続受筒部２の内径が竪樋Ａ２、Ａ１の外径に略等しく、下側接続筒部１の外径が竪樋Ａ２、Ａ１の内径に略等しく設定されている。ここでの竪樋継手は丸型竪樋を接続するものであるが、本願発明の竪樋継手は角型竪樋を接続するものであってもよい。
【００２３】
上側接続受筒部２は下側接続筒部１の二倍以上の上下長さ寸法を有していることが好ましく、この実施形態の竪樋継手では、三倍程度の上下長さ寸法を有している。上側接続受筒部２の下端部分には、下側接続筒部１の外側に筒状で同上側接続受筒部２と同径のカバー片７が垂下延設されており、このカバー片７の垂下寸法は同下側接続筒部１の上下長さ寸法よりも短い。この場合、下側接続筒部１の外側に嵌合された下位の竪樋Ａ１の上端開口縁が、同下側接続筒部１と前記カバー片７との間隙に挿入嵌合されて納められる。
【００２４】
上側接続受筒部２と下側接続筒部１との連設部位の内周には段部８が形成され、この段部８に沿ってその上側で同上側接続受筒部２の周壁３に横長矩形状の流入口４が開設されている。流入口４の上縁に沿って上側接続受筒部２の周壁３内面には、内方へ若干の下り勾配で傾斜状に突出してその先端が下方へ折曲垂下した略Ｌ字状断面の凸片６が庇状に突設されている。この場合、上側接続受筒部２の内面を伝う雨水は、庇状の凸片６の上面に沿って案内流下され、段部８で跳ね返って流入口４から外部へと漏れ出ることもない。
【００２５】
上側接続受筒部２の周壁３外側には、前記流入口４から外部へと上方に向いて開口した筒状のホース接続部５が形成されている。この場合、上側接続受筒部２がホース接続部５よりも上方へ長く延設されており、同ホース接続部５は上側接続受筒部２の略半分程度の上下長さ寸法である。また、上側接続受筒部２とホース接続部５とは同上側接続受筒部２の周壁３のみで仕切られており、この周壁３から同ホース接続部５が略半円弧状に突出して、その内周形状は下方に向かって細くなるようなテーパー状に形成されている。
【００２６】
空調機などのからのドレンホースＢは、一般に柔軟な合成樹脂で丸パイプ状に形成されているが、メーカーによって径は若干相違しており、前記ホース接続部５にその上方開口から差し込まれて挿入接続される。その際、ドレンホースＢは前記ホース接続部５の内下方へと深く差し込まれることにより、テーパー作用で強く締め付けられるように挟持されて確実に挿入接続される。また、前記ホース接続部５の内底面９は流入口４へ向かって下り勾配に傾斜しており、前記段部８の上面に連続している。この場合、ドレンホースＢからホース接続部５内に流入されたドレン排水は、傾斜した同ホース接続部５の内底面９から段部８の上面へと伝い案内されてスムーズに導入流下される。
【００２７】
なお、既に竪樋が施工された後に同竪樋の一部分を切断除去してこの部分に竪樋継手を取り付ける場合には、上位の竪樋Ａ２の下端開口部と下位の竪樋Ａ１の上端開口部との間隔が大きく確保されるので、前記庇状に突出した凸片６に同上位の竪樋Ａ２の下端開口部が当たることはないが、新築や雨樋取替時などにこの実施形態の竪樋継手を用いて上位の竪樋Ａ２と下位の竪樋Ａ１とを接続する場合には、上側接続受筒部２に同上位の竪樋Ａ２が深く挿入嵌合されることがある。この場合、上位の竪樋Ａ２の下端開口縁が前記庇状に突出した凸片６に当止されて前記流入口４を塞ぐことはなく、同凸片６がストッパの役目をして上側接続受筒部２とホース接続部５との連通状態は確保される。
【００２８】
したがって、この実施形態の竪樋継手においては、上側接続受筒部２の下端付近の周壁３に流入口４が開設され、この流入口４から同上側接続受筒部２の周壁３外側に沿った筒状で上方に開口するホース接続部５が形成されているので、ホース接続部５にドレンホースＢを上方から上側接続受筒部２の周壁３外側に沿ってスムーズに挿入接続することができ、空調機などからのドレン排水を同ドレンホースＢからホース接続部５、流入口４を通して上側接続受筒部２の内部に導入し、ここから下側接続筒部１、下位の竪樋Ａ１へと流下させて雨水と一緒に効率良く処理することができ、建物の外観も煩雑とならず体裁良く納まる。
【００２９】
しかも、前記上側接続受筒部２がホース接続部５よりも上方へと長く延設されているので、上位の竪樋Ａ２の下端開口部と下位の竪樋Ａ１の上端開口部との間隔を大きく確保することができる。すなわち、前記上位の竪樋Ａ２の下端開口部を側方へと位置をずらせて上側接続受筒部２に挿入嵌合し、この状態で同上側接続受筒部２と共に下側接続筒部１を上方へと大きくスライド移動させた後、前記上位の竪樋Ａ２の下端開口部を側方から元の位置に戻し、同下側接続筒部１を下方へと小さくスライド移動させて下位の竪樋Ａ１の上端開口部内に挿入嵌合することができる。
【００３０】
そのため、既に竪樋が施工された後であっても、同竪樋の一部分を切断除去してこの部分に竪樋継手を取り付けるに際し、上位の竪樋Ａ２の下端開口部と下位の竪樋Ａ１の上端開口部との間隔が大きくなるように余裕をもって切断除去し、同竪樋継手を取り付けるための間隔を大きく確保することができ、前記のように竪樋継手を所謂けんどん式に嵌合接続させて容易に取り付けることができる。
【００３１】
また、この実施形態の竪樋継手においては、上側接続受筒部２の周壁３内面に流入口４の上縁に沿って庇状に突出する凸片６が形成されているので、上位の竪樋Ａ２から流下する雨水は同庇状の凸片６の上面に沿って流下案内され、上側接続受筒部２の流入口４からホース接続部５へと流入し難くなり、雨水の同ホース接続部５から外部への漏れ出しを防止することができる。
【００３２】
また、この実施形態の竪樋継手においては、ホース接続部５の内周形状が下方に向かって細くなるようなテーパー状に形成されているので、径の異なるドレンホースＢであっても、同ホース接続部５の内部下方へと深く差し込むことによって強く締め付けられるように挟持され、確実に挿入接続することができる。
【００３３】
また、この実施形態の竪樋継手においては、上側接続受筒部２とホース接続部５とが同上側接続受筒部２の周壁３によって仕切られるものであるため、同ホース接続部５にドレンホースＢを上方から前記上側接続受筒部２の周壁３外面に沿い摺接させてよりスムーズに挿入接続することができ、また、上側接続受筒部２とホース接続部５とを仕切る壁が周壁３で共用されてコンパクトに納まり材料も削減される。
【図面の簡単な説明】
【００３４】
【図１】本願発明の一実施形態である竪樋継手の施工状態を示す断面図である。
【図２】同竪樋継手を示す上面図である。
【図３】同竪樋継手を示す断面斜視図である。
【図４】従来例である竪樋継手の施工状態を示す断面図である。
【符号の説明】
【００３５】
Ａ１  下位の竪樋
Ａ２  上位の竪樋
Ｂ  ドレンホース
１  下側接続筒部
２  上側接続受筒部
３  周壁
４  流入口
５  ホース接続部
６  流入口
７  カバー片
８  段部
９  内底面
【図１】
2008121325.tif 000003
【図２】
2008121325.tif 000004
【図３】
2008121325.tif 000005
【図４】
2008121325.tif 000006